(57)【要約】      （修正有）【課題】粘着性の中間転写体に限定されることなく、電界によってトナー像の転写を行う非粘着性の中間転写体を用いた場合であっても、透明トナー等を用いてかぶりトナーによる地汚れを防止することが可能な画像形成装置を提供する。【解決手段】カラートナーによってカラー画像を形成するカラー画像形成手段と、前記カラー画像形成手段で形成されたカラー画像５３が一次転写される中間転写体２６と、前記中間転写体２６上に転写されたカラー画像５３を一括して記録媒体に転写する二次転写手段と、前記カラー画像の非画像領域５０に前記二次転写手段の転写限界を超えたトナー量の透明又は白色トナーからなる特殊トナー像５１を形成し、前記特殊トナー像５１をカラー画像５３が転写された後の前記中間転写体２６上に転写する特殊トナー画像形成手段とを備えるように構成した。【選択図】図１
2010210682.tif 000002
【特許請求の範囲】
【請求項１】
カラートナーによってカラー画像を形成するカラー画像形成手段と、
前記カラー画像形成手段で形成されたカラー画像が一次転写される中間転写体と、
前記中間転写体上に転写されたカラー画像を一括して記録媒体に転写する二次転写手段と、
前記カラー画像の非画像領域に前記二次転写手段の転写限界を超えたトナー量の透明又は白色のトナーからなる特殊トナー像を形成し、前記特殊トナー像をカラー画像が転写された後の前記中間転写体上に転写する特殊トナー画像形成手段とを備えたことを特徴とする画像形成装置。
【請求項２】
前記特殊トナー画像形成手段は、前記カラー画像形成手段よりも前記中間転写体の移動方向に沿った下流側に配設されていることを特徴とする請求項１に記載の画像形成装置。
【発明の詳細な説明】
【技術分野】
【０００１】
この発明は、画像形成装置に関するものである。
【背景技術】
【０００２】
近年、上記画像形成装置では、カラー画像の高画質化や高付加価値化を目的として、イエロー、マゼンタ、シアン等のカラートナー以外に、白色トナーやクリア（透明）トナー等の特殊トナーが使用されるようになってきているが、更にこれらの特殊トナーを用いてかぶりトナーの転写による地汚れ等の画像ディフェクトを防止する技術が、例えば、特開２００２−２１４８７１号公報等に開示されているように既に提案されている。
【０００３】
この特開２００２−２１４８７１号公報に係る画像形成装置は、帯電、像露光及び反転現像とにより像形成体上にトナー像を形成した後、該トナー像を粘着性の中間転写体上に転写する画像形成装置において、透明トナーによるトナー像を非画像領域に形成して、前記透明トナーによるトナー像を前記中間転写体に転写した後、カラートナーによるトナー像を画像形成部に形成して、前記カラートナーによるトナー像を前記中間転写体上に転写するように構成したものである。
【先行技術文献】
【特許文献】
【０００４】
【特許文献１】特開２００２−２１４８７１号公報
【発明の概要】
【発明が解決しようとする課題】
【０００５】
ところで、この発明が解決しようとする課題は、上記特開２００２−２１４８７１号公報と異なり、粘着性の中間転写体に限定されることなく、電界によってトナー像の転写を行う非粘着性の中間転写体を用いた場合であっても、透明トナー等を用いてかぶりトナーによる地汚れを防止することが可能な画像形成装置を提供することにある。
【課題を解決するための手段】
【０００６】
すなわち、請求項１に記載された発明は、カラートナーによってカラー画像を形成するカラー画像形成手段と、
前記カラー画像形成手段で形成されたカラー画像が一次転写される中間転写体と、
前記中間転写体上に転写されたカラー画像を一括して記録媒体に転写する二次転写手段と、
前記カラー画像の非画像領域に前記二次転写手段の転写限界を超えたトナー量の透明又は白色トナーからなる特殊トナー像を形成し、前記特殊トナー像をカラー画像が転写された後の前記中間転写体上に転写する特殊トナー画像形成手段とを備えたことを特徴とする画像形成装置である。
【０００７】
また、請求項２に記載された発明は、前記特殊トナー画像形成手段は、前記カラー画像形成手段よりも前記中間転写体の移動方向に沿った下流側に配設されていることを特徴とする請求項１に記載の画像形成装置である。
【発明の効果】
【０００８】
請求項１に記載された発明によれば、粘着性の中間転写体に限定されることなく、電界によってトナー像の転写を行う非粘着性の中間転写体を用いた場合であっても、透明トナー等を用いてかぶりトナーによる地汚れを防止することができる。
【０００９】
また、請求項２に記載された発明によれば、カラー画像の形成に続いて透明トナー画像を形成することができ、生産性を低下させるのを防止することができる。
【図面の簡単な説明】
【００１０】
【図１】図１はこの発明の実施の形態１に係る画像形成装置としてのタンデム型のデジタルカラープリンタのトナー像の形成状態を示す説明図である。
【図２】図２はこの発明の実施の形態１に係る画像形成装置としてのタンデム型のデジタルカラープリンタを示す概略構成図である。
【図３】図３は静電潜像を示すグラフである。
【図４】図４はこの発明の実施の形態１に係る画像形成装置としてのタンデム型のデジタルカラープリンタのトナー像の形成状態を示す説明図である。
【発明を実施するための形態】
【００１１】
以下に、この発明の実施の形態について図面を参照して説明する。
【００１２】
実施の形態１
図２はこの発明の実施の形態１に係る画像形成装置としてのタンデム型のデジタルカラープリンタを示す概略構成図である。また、このタンデム型のデジタルカラープリンタは、画像読取装置を備えており、フルカラー複写機やファクシミリとしても機能するようになっている。なお、上記画像形成装置としては、画像読取装置を備えずに、図示しないパーソナルコンピュータ等から出力される画像データに基づいて画像を形成するものであっても勿論よい。
【００１３】
図２において、１はタンデム型のデジタルカラープリンタの本体を示すものであり、このデジタルカラープリンタ本体１は、その一側（図示例では、左側）の上部に、原稿２の画像を読み取る画像読取装置３を備えている。また、上記カラープリンタ本体１の内部には、当該画像読取装置３や図示しないパーソナルコンピュータ等から出力される画像データ、あるいは電話回線やＬＡＮ等を介して送られてくる画像データに対して、予め定められた画像処理を施す画像処理装置４が配設されているとともに、デジタルカラープリンタ本体１の内部には、画像処理装置４で予め定められた画像処理が施された画像データに基づいて画像を出力する画像出力装置５が配設されている。
【００１４】
上記画像読取装置３は、プラテンカバー６を開閉することにより、原稿２をプラテンガラス７上に載置し、当該プラテンガラス７上に載置された原稿２を光源８によって照明するとともに、原稿２からの反射光像を、フルレートミラー９及びハーフレートミラー１０、１１及び結像レンズ１２からなる縮小走査光学系を介してＣＣＤ等からなる画像読取素子１３上に走査露光して、この画像読取素子１３によって原稿２の画像を予め定められたドット密度で読み取るように構成されている。
【００１５】
上記画像読取装置３によって読み取られた原稿２の画像は、例えば、赤（Ｒ）、緑（Ｇ）、青（Ｂ）（例えば、各８ｂｉｔ）の３色の原稿反射率データとして画像処理装置４に送られ、この画像処理装置４では、原稿２の反射率データに対して、シェーディング補正、位置ズレ補正、明度／色空間変換、ガンマ補正、枠消し、色／移動編集等の予め定められた画像処理が施される。
【００１６】
また、上記の如く画像処理装置４で予め定められた画像処理が施された画像データは、同じく画像処理装置４によりイエロー（Ｙ）、マゼンタ（Ｍ）、シアン（Ｃ）、黒（Ｋ）の４色の画像データに変換されるとともに、これらイエロー（Ｙ）、マゼンタ（Ｍ）、シアン（Ｃ）、黒（Ｋ）の４色の画像データが存在しないカラー画像の非画像部領域に対応した画像データに変換される。なお、この実施の形態では、イエロー（Ｙ）、マゼンタ（Ｍ）、シアン（Ｃ）以外に黒（Ｋ）をも含めて、後述する透明トナー画像と区別する意味でカラー画像と称している。
【００１７】
そして、上記の如く画像処理装置４で画像処理が施された画像データは、イエロー（Ｙ）、マゼンタ（Ｍ）、シアン（Ｃ）、黒（Ｋ）の４色の画像データに変換されて、イエロー（Ｙ）、マゼンタ（Ｍ）、シアン（Ｃ）、黒（Ｋ）の各色のカラー画像形成部としての画像形成ユニット１４Ｙ、１４Ｍ、１４Ｃ、１４Ｋの画像露光装置１５Ｙ、１５Ｍ、１５Ｃ、１５Ｋに送られ、これらの画像露光装置１５Ｙ、１５Ｍ、１５Ｃ、１５Ｋでは、対応する色の画像データに応じてレーザー光による画像露光が行われる。
【００１８】
また、上記の如く画像処理装置４で画像処理が施された画像データのうち、非画像部領域に対応した画像データに変換された透明トナー（Ｔ）からなる画像を形成するための画像データは、透明トナー画像形成部としての透明（Ｔ）の画像形成ユニット１４Ｔの画像露光装置１５Ｔに送られ、この画像露光装置１５Ｔでは、非画像部領域に対応した透明トナー（Ｔ）からなる画像を形成するための画像データに応じてレーザー光による画像露光が行われる。
【００１９】
ところで、上記タンデム型のデジタルカラープリンタ本体１の内部には、上述したように、イエロー（Ｙ）、マゼンタ（Ｍ）、シアン（Ｃ）、黒（Ｋ）の４つの画像形成ユニット１４Ｙ、１４Ｍ、１４Ｃ、１４Ｋと、透明トナー（Ｔ）の画像形成ユニット１４Ｔとが、水平方向に一定の間隔をおいて直列的に配置されている。
【００２０】
これら５つの画像形成ユニット１４Ｙ、１４Ｍ、１４Ｃ、１４Ｋ、１４Ｔは、図２に示すように、基本的に、形成する画像の色及び現像するトナー量など以外はすべて同様に構成されており、大別して、矢印Ａ方向に沿って所定の速度で回転駆動される像担持体としての感光体ドラム１６と、この感光体ドラム１６の表面を一様に帯電する一次帯電用のスコロトロン１７と、当該感光体ドラム１６の表面に各色に対応した画像データに基づいて画像露光を施して静電潜像を形成する画像書込手段としての画像露光装置１５と、感光体ドラム１６上に形成された静電潜像をトナーによって現像する現像装置１８と、感光体ドラム１６の表面に残留したトナー等を清掃するクリーニング装置１９とから構成されている。
【００２１】
上記画像露光装置１５は、図２に示すように、半導体レーザー２０を画像処理装置４から出力される対応する色の画像データに応じて変調し、この半導体レーザー２０からレーザー光ＬＢを画像データに応じて出射する。この半導体レーザー２０から出射されたレーザー光ＬＢは、ミラー２１、２２等を介して回転多面鏡２３の表面に照射され、当該回転多面鏡２３によって偏向走査された後、図示しないｆ−θレンズや反射ミラー２２、２４、２５等を介して感光体ドラム１６上にその回転軸方向（主走査方向）に沿って走査露光される。
【００２２】
上記画像処理装置４からは、図２に示すように、イエロー（Ｙ）、マゼンタ（Ｍ）、シアン（Ｃ）、黒（Ｋ）、透明（Ｔ）の各色の画像形成ユニット１４Ｙ、１４Ｍ、１４Ｃ、１４Ｋ、１４Ｔの画像露光装置１５Ｙ、１５Ｍ、１５Ｃ、１５Ｋ、１５Ｔに対して対応する色の画像データが順次出力され、これらの画像露光装置１５Ｙ、１５Ｍ、１５Ｃ、１５Ｋ、１５Ｔから画像データに応じて出射されるレーザー光ＬＢが、対応する感光体ドラム１６Ｙ、１６Ｍ、１６Ｃ、１６Ｋ、１６Ｔの表面に走査露光されて静電潜像が形成される。上記各感光体ドラム１６Ｙ、１６Ｍ、１６Ｃ、１６Ｋ、１６Ｔの表面に形成された静電潜像は、現像装置１８Ｙ、１８Ｍ、１８Ｃ、１８Ｋ、１８Ｔによって、それぞれイエロー（Ｙ）、マゼンタ（Ｍ）、シアン（Ｃ）、黒（Ｋ）、透明（Ｔ）の各色のトナー像として現像される。
【００２３】
上記各画像形成ユニット１４Ｙ、１４Ｍ、１４Ｃ、１４Ｋ、１４Ｔの感光体ドラム１６Ｙ、１６Ｍ、１６Ｃ、１６Ｋ、１４Ｔ上に順次形成されたイエロー（Ｙ）、マゼンタ（Ｍ）、シアン（Ｃ）、黒（Ｋ）、１４Ｔの各色のトナー像は、図２に示すように、各画像形成ユニット１４Ｙ、１４Ｍ、１４Ｃ、１４Ｋ、１４Ｔの下方に配置された無端ベルト状の中間転写体としての中間転写ベルト２６上に、一次転写位置Ｎ１において一次転写ロール２７Ｙ、２７Ｍ、２７Ｃ、２７Ｋ、２７Ｔによって多重に転写される。この中間転写ベルト２６は、駆動ロール２８と、張力付与ロール２９と、蛇行制御用ロール３０と、従動ロール３１と、背面支持ロール３２と、従動ロール３３との間に一定の張力で掛け回されており、図示しない定速性に優れた専用の駆動モーターによって回転駆動される駆動ロール２８により、矢印Ｂ方向に沿って予め定められた移動速度で循環駆動されるようになっている。上記中間転写ベルト２６としては、例えば、可撓性を有するポリイミドやポリアミドイミド等の合成樹脂フィルムを帯状に形成し、この帯状に形成された合成樹脂フィルムの両端を溶着等の手段によって接続することにより、無端ベルト状に形成したものが用いられる。
【００２４】
ところで、上記透明トナー像形成ユニット１４Ｔは、カラー画像の非画像領域に後述する二次転写手段の転写限界を超えたトナー量の透明トナーからなる透明トナー像を形成し、この透明トナー像をカラー画像が転写された後の中間転写ベルト２６上に転写するように構成されている。
【００２５】
この透明トナー像形成ユニット１４Ｔでは、図２に示す如く、上述したように、感光体ドラム１６Ｔの表面が一次帯電用のスコロトロン１７によって予め定められた電位に帯電された後、画像露光装置１５Ｔによってカラー画像の非画像領域に対応した領域がレーザー光ＬＢによって露光され、カラー画像の非画像領域に対応した領域が現像装置１８Ｔによって反転現像され、感光体ドラム１６Ｔの表面には、透明トナーからなるトナー像が形成される。
【００２６】
その際、上記透明トナー像形成ユニット１４Ｔでは、感光体ドラム１６Ｔ上にカラー画像の非画像領域に二次転写手段の転写限界を超えたトナー量の透明トナーからなる透明トナー像が形成される。そのため、上記感光体ドラム１６Ｔの表面電位ＶｈTは、図３に示すように、カラー画像形成ユニットの感光体ドラム１６Ｔの表面電位Ｖｈcに比べて低く（負極性の絶対値が大きく）設定されているとともに、現像装置１８に印加される現像バイアスＶｂTもカラー画像形成ユニットの現像装置に印加される現像バイアスＶｂcに比べて低く（負極性の絶対値が大きく）設定されている。また、これらの感光体ドラム１６Ｔの表面電位ＶｈT及び現像装置１８の現像バイアスＶｂTは、二次転写手段の転写限界を超えたトナー量の透明トナーからなる透明トナー像を現像する値に設定されている。
なお、上記感光体ドラム１６Ｔの表面電位ＶｈT及び現像装置１８の現像バイアスＶｂTの双方を、カラー画像形成ユニットに比べて低く（負極性の絶対値が大きく）設定する必要はなく、いずれか一方のみをカラー画像形成ユニットに比べて低く（負極性の絶対値が大きく）設定しても良い。
【００２７】
上記二次転写手段に印加される転写バイアスは、中間転写ベルト２６上に最高濃度のイエロー（Ｙ）、マゼンタ（Ｍ）、シアン（Ｃ）の３色のトナー像が形成された場合であっても、これらイエロー（Ｙ）、マゼンタ（Ｍ）、シアン（Ｃ）の３色のトナー像を、９０％以上の転写効率で記録媒体３５上に転写可能な値に設定されている。
【００２８】
そのため、上記透明トナー像形成ユニット１４Ｔの感光体ドラム１６Ｔ上に形成され、中間転写ベルト２６上に転写される透明トナー像のトナー量は、二次転写手段に上述した転写バイアスを印加した場合であっても転写限界を超えており、中間転写ベルト２６上にある程度の透明トナー像が残るトナー量に設定されている。
【００２９】
なお、上記透明トナー像形成ユニット１４Ｔの感光体ドラム１６Ｔ上に形成された透明トナー像は、中間転写ベルト２６上に転写されるように、透明トナー像形成ユニット１４Ｔの一次転写ロール２７Ｔには、他のイエロー（Ｙ）、マゼンタ（Ｍ）、シアン（Ｃ）、黒（Ｋ）の画像形成ユニット１４Ｙ、１４Ｍ、１４Ｃ、１４Ｋに比較して、高い値の一次転写電圧（正極性）が印加されるように構成されている。
【００３０】
上記中間転写ベルト２６上に多重に転写されたイエロー（Ｙ）、マゼンタ（Ｍ）、シアン（Ｃ）、黒（Ｋ）、の各色のトナー像、及びカラー画像の非画像領域に転写された透明（Ｔ）なトナー像は、背面支持ロール３２によってトナーと同極性（負極性）の転写電圧が印加されるとともに、背面支持ロール３２に圧接する接地された二次転写ロール３４によって、二次転写位置Ｎ２において圧接力及び静電気力で記録媒体としての記録用紙３５上に二次転写される。
【００３１】
その際、上述したように、カラー画像の非画像領域に転写された透明（Ｔ）トナー像は、そのすべてが中間転写ベルト２６上に転写されずに、その一部が中間転写ベルト２６上に残るように設定されている。
【００３２】
そして、形成する画像の色に応じたトナー像が転写された記録用紙３５は、二連の搬送ベルト３６、３７によって定着装置３８へと搬送される。そして、上記各色のトナー像が転写された記録用紙３５は、定着装置３８によって熱及び圧力で定着処理を受け、プリンタ本体１の外部に設けられた排出トレイ３９上に排出される。
【００３３】
上記記録用紙３５は、図２に示すように、プリンタ本体１の底部に配設された給紙トレイ４０から所望のサイズ及び材質のものが、給紙ロール４１及び図示しない用紙分離用のロール対によって１枚ずつ分離された状態で給紙され、複数の搬送ロール４２、４３、４４が配設された用紙搬送路４５を介してレジストロール４６まで一旦搬送される。上記給紙トレイ４０から供給された記録用紙３５は、予め定められたタイミングで回転駆動されるレジストロール４６によって中間転写ベルト２６の二次転写位置Ｎ２へと送出される。なお、上記給紙トレイ４０は、１つのみ図示されているが、互いに異なったサイズ又は同一サイズの記録用紙３５を備えた複数の給紙トレイを備えていても良く、給紙トレイ４０からは、多数枚の記録用紙３５を連続して給紙可能となっている。
【００３４】
それに先だって、上記イエロー色、マゼンタ色、シアン色及び黒色の４つの画像形成ユニット１４Ｙ、１４Ｍ、１４Ｃ、１４Ｋ、並びに透明の画像形成ユニット１４Ｔでは、上述したように、それぞれイエロー色、マゼンタ色、シアン色、黒色のトナー像及び透明なトナー像が予め定められたタイミングで順次形成されるようになっている。
【００３５】
なお、上記感光体ドラム１６Ｙ、１６Ｍ、１６Ｃ、１６Ｋ、１６Ｔは、トナー像の転写工程が終了した後、クリーニング装置１９Ｙ、１９Ｍ、１９Ｃ、１９Ｋ、１９Ｔによって残留トナー等が除去されて、次の画像形成プロセスに備える。また、中間転写ベルト２６は、従動ロール３３と対向するように配設されたベルト用クリーナー４７によって透明トナーを含む残留トナーや紙粉等が除去される。
【００３６】
以上の構成において、この実施の形態に係る画像形成装置としてのデジタルカラープリンタでは、次のようにして、粘着性の中間転写体に限定されることなく、電界によってトナー像の転写を行う非粘着性の中間転写体を用いた場合であっても、透明トナー等を用いてかぶりトナーによる地汚れを防止することが可能となっている。
【００３７】
すなわち、上記デジタルカラープリンタでは、図２に示すように、フルカラー等の画像を形成する際に、イエロー（Ｙ）、マゼンタ（Ｍ）、シアン（Ｃ）、黒（Ｋ）の各画像形成ユニット１４Ｙ、１４Ｍ、１４Ｃ、１４Ｋにおいて対応する色のトナー像が順次形成され、これらイエロー（Ｙ）、マゼンタ（Ｍ）、シアン（Ｃ）、黒（Ｋ）の各色のトナー像は、図４に示すように、一次転写位置Ｎ１において一次転写ロール２７Ｙ、２７Ｍ、２７Ｃ、２７Ｋ、２７Ｔによって、中間転写ベルト２６上に順次、多重に転写される。その際、上記イエロー（Ｙ）、マゼンタ（Ｍ）、シアン（Ｃ）、黒（Ｋ）の各画像形成ユニット１４Ｙ、１４Ｍ、１４Ｃ、１４Ｋでは、カラー画像を形成する際に、現像特性等に起因して、カラー画像の非画像領域５０にかぶりトナー５２が付着する場合がある。
【００３８】
また、上記デジタルカラープリンタでは、図１（ａ）に示すように、カラー画像の非画像領域５０に対応した領域に、透明（Ｔ）の画像形成ユニット１４Ｔにおいて透明トナーからなる透明トナー像５１が形成され、この透明トナー像５１がイエロー（Ｙ）、マゼンタ（Ｍ）、シアン（Ｃ）、黒（Ｋ）のトナー像が転写された中間転写ベルト２６上に、一次転写位置Ｎ１において一次転写ロール２７Ｔによって転写される。
【００３９】
その際、上記透明（Ｔ）の画像形成ユニット１４Ｔでは、バックアップロール３２及び二次転写ロール３４からなる二次転写手段の転写限界以上のトナー量の透明トナーからなるトナー像が形成され、この透明トナー像５１は、図１（ａ）に示すように、そのほとんどすべて（９０％以上の転写効率）が中間転写ベルト２６上に転写される。
【００４０】
そして、上記中間転写ベルト２６上に転写されたイエロー（Ｙ）、マゼンタ（Ｍ）、シアン（Ｃ）、黒（Ｋ）のトナー像、及び透明トナー像は、バックアップロール３２及び二次転写ロール３４からなる二次転写手段によって記録用紙３５上に二次転写されるが、透明トナー像５１は、二次転写手段の転写限界以上のトナー量を有しているため、図１（ｂ）に示すように、その一部５１ａが中間転写ベルト２６上に残留した状態で、イエロー（Ｙ）、マゼンタ（Ｍ）、シアン（Ｃ）、黒（Ｋ）のトナー像５３は、そのほとんどすべて（９０％以上の転写効率）が記録用紙３５上に二次転写され、定着装置３８によって定着処理を受ける。
【００４１】
そのため、上記デジタルカラープリンタでは、イエロー（Ｙ）、マゼンタ（Ｍ）、シアン（Ｃ）、黒（Ｋ）の各画像形成ユニット１４Ｙ、１４Ｍ、１４Ｃ、１４Ｋにおいて、カラートナーからなるカラー画像（黒色の含む）を形成する際に、トナー像の地かぶり等によって、感光体ドラム１６の非画像領域５０、ひいては中間転写ベルト２６の非画像領域５０にかぶりトナー５２が付着した場合であっても、中間転写ベルト２６の非画像領域５０には、カラー画像が転写された後に、透明トナー像５１が転写され、しかも当該透明トナー像５１のトナー量は、二次転写手段の転写限界以上のトナー量に設定されている。
【００４２】
したがって、上記中間転写ベルト２６上のカラー画像の非画像領域５０には、イエロー（Ｙ）、マゼンタ（Ｍ）、シアン（Ｃ）、黒（Ｋ）等のかぶりトナー５２が付着した場合であっても、当該かぶりトナー５２上には、透明トナー像５１が転写されており、しかも当該透明トナー像５１のトナー量は、図１（ａ）に示すように、二次転写手段の転写限界以上のトナー量に設定されているので、中間転写ベルト２６上のかぶりトナー５２は、記録用紙３５上に転写されることはなく、記録用紙３５上には、カラートナー画像及び透明トナー画像５１ｂのみが転写され、背景部にかぶりトナー５２が転写されて地汚れが発生するのを防止することができる。
【００４３】
なお、上記透明トナー画像は、透明であるため、画質上問題となることはなく、却って、透明トナー画像がカラー画像の非画像領域（背景部）に光沢を出すこととなり、画質が向上する。
【００４４】
なお、上記実施の形態では、カラー画像の非画像領域に透明トナーからなるトナー画像を形成する場合について説明したが、これに限定されることなく、カラー画像の非画像領域に白色トナーからなる特殊トナー画像を形成するように構成してももちろん良い。
【符号の説明】
【００４５】
２６：中間転写ベルト、３５：記録用紙、５０：カラー画像の非画像領域、５１：透明トナー像、５２：かぶりトナー、５３：カラートナー像。
【図１】
2010210682.tif 000003
【図２】
2010210682.tif 000004
【図３】
2010210682.tif 000005
【図４】
2010210682.tif 000006